(57)【要約】【課題】現場において収納ケース枠の補強施工を必要としない防煙垂れ壁を提供する。【解決手段】天井内に設けた収納ケース１と、収納ケース１内に水平姿勢で収納されており、火災時に下方に回動して垂下姿勢となるパネル２と、からなる防煙垂れ壁において、収納ケース１の上面には取付用部材３が固定されており、取付用部材３の長さ方向両端部は、収納ケース１の戸尻側フレーム１０、戸先側フレーム１１を越えて延びる延出部３´を備えており、戸尻側フレーム１０の垂直片１００と一方の延出部３´、戸先側フレーム１１の垂直片１１０と他方の延出部３´、の一方あるいは両方が補強部材によって連結されている。【選択図】図６
2015100528.tif 000002
【特許請求の範囲】
【請求項１】
天井内に設けた収納ケースと、収納ケース内に水平姿勢で収納されており、火災時に下方に回動して垂下姿勢となるパネルと、からなる防煙垂れ壁において、
前記収納ケースは、戸尻側フレーム、戸先側フレームを備え、
収納ケースの上面には取付用部材が固定されており、
前記戸尻側フレームの垂直片、前記戸先側フレームの垂直片の一方あるいは両方と、前記取付用部材の長さ方向端部と、が補強部材によって連結されている、
防煙垂れ壁。
【請求項２】
前記取付用部材の長さ方向両端部は、前記戸尻側フレーム、前記戸先側フレームを越えて延びる延出部を備えており、
前記取付用部材の長さ方向端部は、上記延出部である、
請求項１に記載の防煙垂れ壁。
【請求項３】
前記補強部材は、前記垂直片に連結された第１要素と、前記取付用部材の長さ方向端部に連結された第２要素と、からなり、前記第１要素と前記第２要素が連結されている、
請求項１、２いずれか１項に記載の防煙垂れ壁。
【請求項４】
天井内に設けた収納ケースと、収納ケース内に水平姿勢で収納されており、火災時に下方に回動して垂下姿勢となるパネルと、からなる防煙垂れ壁のケースユニットであって、
前記ケースユニットは、収納ケースと、前記収納ケースの上面に固定された取付用部材と、前記収納ケースの補強部材と、からなり、
前記収納ケースは、戸尻側フレーム、戸先側フレームを備え、
前記補強部材は、前記戸尻側フレームの垂直片、前記戸先側フレームの垂直片の一方あるいは両方と、前記取付用部材の長さ方向端部と、を連結するものである、
ケースユニット。
【請求項５】
前記取付用部材の長さ方向両端部は、前記収納ケースの戸尻側フレーム、戸先側フレームを越えて延びる延出部を備えており、
前記取付用部材の長さ方向端部は、上記延出部である、
請求項４に記載のケースユニット。
【請求項６】
前記補強部材は、前記垂直片に連結された第１要素と、前記取付用部材の長さ方向端部に連結された第２要素と、からなり、前記第１要素と前記第２要素が連結されている、
請求項４、５いずれか１項に記載のケースユニット。
【発明の詳細な説明】
【技術分野】
【０００１】
本発明は、防煙垂れ壁に係り、詳しくは、防煙垂れ壁のケースユニットに関するものである。
【背景技術】
【０００２】
天井内に設けた収納ケースと、通常時にはケース内に水平姿勢で収納されており、火災時に収納ケースに対して下方に回動して垂下姿勢となるパネルと、からなる防煙垂れ壁が知られている。このような防煙垂れ壁は特許文献１〜６に記載されている。
【０００３】
防煙垂れ壁において、垂下姿勢となって防煙性能を発揮するパネルは通常時には天井面に露出しているため、外観上、収納ケースの枠とパネル枠との隙間を小さくして目立たなくすることが望ましい。
【０００４】
一方、ケース枠とパネル枠との隙間を小さく設計した場合において、ケース枠の変形等によって当該ケース枠とパネル枠との隙間がさらに狭くなると、火災時におけるパネルの回動に影響を与えるおそれがある。
【０００５】
従来、収納ケースの枠とパネル枠との隙間（チリ）を確保するために、現場において収納ケースの枠に補強施工を行っていた。このような施工は、天井の限られたスペースで行われているため、工事がしにくく現場によって補強の品質にばらつきが生じ得ることになり、また、補強施工の分だけ防煙垂れ壁の設置の施工に時間を要することになっていた。
【特許文献１】実開平６−４８７０２号
【特許文献２】実開昭５８−５４６０号
【特許文献３】実開昭５３−３８３３７号
【特許文献４】実公昭５２−５５２２５号
【特許文献５】特開昭５０−１３９５９８号
【特許文献６】実開昭５０−１３６９９３号
【発明の開示】
【発明が解決しようとする課題】
【０００６】
本発明は、現場において収納ケース枠の補強施工を必要としない防煙垂れ壁を提供することを目的とする。
【課題を解決するための手段】
【０００７】
本発明が採用した第１の技術手段は、
天井内に設けた収納ケースと、収納ケース内に水平姿勢で収納されており、火災時に下方に回動して垂下姿勢となるパネルと、からなる防煙垂れ壁において、
前記収納ケースは、戸尻側フレーム、戸先側フレームを備え、
収納ケースの上面には取付用部材が固定されており、
前記戸尻側フレームの垂直片、前記戸先側フレームの垂直片の一方あるいは両方と、前記取付用部材の長さ方向端部と、が補強部材によって連結されている、
防煙垂れ壁、である。
１つの態様では、前記取付用部材の長さ方向両端部は、前記戸尻側フレーム、前記戸先側フレームを越えて延びる延出部を備えており、
前記取付用部材の長さ方向端部は、上記延出部である。
すなわち、前記戸尻側フレームの垂直片と一方の延出部、前記戸先側フレームの垂直片と他方の延出部、の一方あるいは両方が補強部材によって連結されている。
【０００８】
本発明が採用した第２の技術手段は、
天井内に設けた収納ケースと、収納ケース内に水平姿勢で収納されており、火災時に下方に回動して垂下姿勢となるパネルと、からなる防煙垂れ壁のケースユニットであって、
前記ケースユニットは、収納ケースと、前記収納ケースの上面に固定された取付用部材と、前記収納ケースの補強部材と、からなり、
前記収納ケースは、戸尻側フレーム、戸先側フレームを備え、
前記補強部材は、前記戸尻側フレームの垂直片、前記戸先側フレームの垂直片の一方あるいは両方と、前記取付用部材の長さ方向端部と、を連結するものである、
ケースユニット、である。
１つの態様では、前記取付用部材の長さ方向両端部は、前記収納ケースの戸尻側フレーム、戸先側フレームを越えて延びる延出部を備えており、
前記取付用部材の長さ方向端部は、上記延出部である。
すなわち、前記補強部材は、前記戸尻側フレームの垂直片と一方の延出部、前記戸先側フレームの垂直片と他方の延出部、の一方あるいは両方を連結するものである。
【０００９】
１つの態様では、前記補強部材は、前記垂直片に連結された第１要素と、前記取付用部材の長さ方向端部（前記延出部）に連結された第２要素と、からなり、前記第１要素と前記第２要素が連結されている。
前記補強部材が第１要素と第２要素の２部材から構成される場合に、１つの態様では、前記第１要素と前記第２要素はボルトで連結されるが、溶接によって連結してもよい。
また、前記補強部材を、１つの部材から形成してもよい。
【００１０】
１つの態様では、前記第１要素は、前記垂直片と連結される第１連結片と、前記第２要素と連結される第２連結片と、を備え、前記垂直片の外面にはポケット部が形成されており、前記第１要素の前記第１連結片を前記ポケット部に挿入することで、前記第１要素と前記垂直片とが連結されている。
なお、前記補強部材（当該補強部材が第１要素と第２要素の２部材から構成される場合には、前記第１要素）と前記垂直片とをボルト等の他の手段で連結してもよい。
１つの態様では、前記補強部材（当該補強部材が第１要素と第２要素の２部材から構成される場合には、前記第２要素）と前記取付用部材とはボルトで連結されるが、溶接によって連結してもよい。
【００１１】
好ましくは、前記収納ケースは、戸尻側フレーム、戸先側フレームの両方において補強部材によって補強される。つまり、前記戸尻側フレームの垂直片と前記取付用部材の一方の長さ方向端部（一方の延出部）を補強部材によって連結し、前記戸先側フレームの垂直片と前記取付用部材の他方の長さ方向端部（他方の延出部）を補強部材によって連結してなる。
前記戸尻側フレームの垂直片と前記取付用部材の一方の長さ方向端部（一方の延出部）を補強部材によって連結し、長さ方向端部（延出部）に連結された補強部材によって前記垂直片を支持することで、戸尻側フレームのヒンジ部の変形を防止し、パネルの回動基端部の円滑な動きに支障が無いようにする。
前記戸先側フレームの垂直片と前記取付用部材の他方の長さ方向端部（他方の延出部）を補強部材によって連結して長さ方向端部（延出部）に連結された補強部材によって前記垂直片を支持することで、戸先側フレームの垂直片がパネルの戸先側フレームに接近するように変形することを防止し、パネルの戸先側フレームと収納ケースの戸先側フレームが引っ掛かるようなことを防止している。
【発明の効果】
【００１２】
本発明に係る防煙垂れ壁において補強部材は工場で取り付けることができ、より具体的には、収納ケースと、前記収納ケースの上面に固定された取付用部材と、前記収納ケースの補強部材と、からなるケースユニットは工場で組み立てることができるので、現場では、当該ケースユニットを、前記取付用部材の長さ方向両端の延出部において天井内に支持させればよく、現場で補強作業を行う必要がない。
したがって、現場で補強施工を行う必要がないため、現場における防煙垂れ壁の施工時間を短縮することができ、また、補強施工は工場で行われるので、より安定した品質の防煙垂れ壁が得られる。
【図面の簡単な説明】
【００１３】
【図１】防煙垂れ壁（パネルが垂下姿勢にある）の下方から見た全体斜視図である。
【図２】防煙垂れ壁（パネルが水平姿勢にある）の側面図である。
【図３】図２の戸尻側の部分拡大図である。
【図４】図２の戸先側の部分拡大図である。
【図５】収納ケースユニットの下面図である。
【図６】収納ケースユニットの側面図である。
【図７】収納ケースユニットにおける補強構造を示す図である。
【図８】第１補強要素、第２補強要素が連結された状態を示す。
【発明を実施するための形態】
【００１４】
本発明の実施形態を図面に基づいて詳細に説明する。図１、図２に示すように、防煙垂れ壁は、天井に取り付けられた収納ケース１と、通常時には収納ケース１に水平姿勢で収納されており、火災時に下方に回動して垂直姿勢となるパネル２と、からなる。図１に示す態様では、連設された３つの収納ケース１に対して３枚のパネル２がそれぞれ回動可能に取り付けられている。
【００１５】
収納ケース１は、下側に長方形状の開口が形成された低背の箱体であり、戸尻側フレーム１０と、戸先側フレーム１１と、戸尻側フレーム１０と戸先側フレーム１１間に架け渡された複数本の側フレーム１２、中間フレーム１２´と、から構成された枠体と、当該枠体の上面に張設された板状の上面部１３と、からなる。
【００１６】
図３、図６に示すように、戸尻側フレーム１０は垂直片１００を有しており、垂直片１００の下端には、ケース外側に向かって天井Ｃを支承する支持片１０１が、ケース内側に向かってヒンジ部１０２が形成されている。垂直片１００の外面には、垂直片１００（戸尻側フレーム１０）の長さ方向に延びるポケット部６が形成されている。
【００１７】
図４、図６に示すように、戸先側フレーム１１は垂直片１１０を有しており、垂直片１１０の下端には、ケース外側に向かって天井Ｃを支承する支持片１１１が形成されている。垂直片１１１の外面には、垂直片１１０（戸先側フレーム１１）の長さ方向に延びるポケット部６が形成されている。
【００１８】
図１、図２に示すように、パネル２は、戸尻側フレーム２０と、戸先側フレーム２１と、戸尻側フレーム２０と戸先側フレーム２１間に架け渡された複数本の側フレーム２２、中間フレーム２２´と、から構成された枠体と、当該枠体の上面に張設された板状の上面カバー２３と、上面カバー２３の下側に設けた天井材２４と、からなる。図２に示すように、パネル２が収納ケース１に収納された水平姿勢にある時に、天井材２４の下面と天井Ｃの下面とが面一となっている。
【００１９】
パネル２の戸尻側フレーム２０は収納ケース１の戸尻側フレーム２０のヒンジ部１０２に対して回動自在に装着されており、パネル２は、収納ケース１に収納された水平姿勢と、収納ケース１に対して垂下した垂直姿勢と、の間で戸尻側フレーム２０を回動基端として回動可能となっている。通常時には、水平姿勢にあるパネル２の戸先側部位（中間フレーム２２´の戸先側部位）は収納ケース１の上面部１３の戸先側部位に対してロック手段（ロック１４、ロック受金具２５）によってロックされており、パネル２が下方に回動することが規制されている（図４参照）。火災時に図示しない煙感知器が火災を検知すると、自動閉鎖装置１５によってワイヤ１６が引かれてロックが解除され、パネル２が回動降下して垂直姿勢となる。
【００２０】
収納ケース１の枠体の所定の中間フレーム１２´とパネル２の枠体の所定の中間フレーム２２´との間にショックアブソーバ１８が設けてあり、パネル２の急激な回動を防止している。また、手動操作部１９からの操作によって手動でロックを解除してパネル２を回動降下させてもよい。
【００２１】
図１に示す態様では、連設された３つの収納ケース１に対して３枚のパネル２がそれぞれ回動可能に取り付けられており、自動閉鎖装置１５に近い側から第１パネル、第２パネル、第３パネルとすると、自動閉鎖装置１５によってワイヤ１６が引かれて第１パネルのロックが解除されて第１パネルが回動降下し、第１パネルの回動に連動してワイヤ連結装置１７を介してワイヤ１６が引っ張られて第２パネルのロックが解除されて第２パネルが回動降下し、第２パネルの回動に連動してワイヤ連結装置１７によってワイヤ１６が引っ張られて第３パネルのロックが解除されて、第３パネルが回動降下する。防煙垂れ壁のパネルを通常時に水平姿勢で保持し、火災時に自動閉鎖装置によってロック解除する構成は公知であるので、さらなる詳細な説明は省略する。また、防煙垂れ壁の基本的な構成については、特許文献１〜６の記載を参照することができる。
【００２２】
収納ケース１の上面部１３には、取付用部材（取付下地アングル）３が連結されており、収納ケース１と、取付用部材３と、後述する補強部材と、からケースユニットが構成されている。ケースユニットを図５、図６に示す。取付用部材３は、水平片３０と垂直片３１とから断面視Ｌ形状を備え、側フレーム１２、中間フレーム１２´と同じ方向に延びる長尺部材である。取付用部材３は、収納ケース１の所定の中間フレーム１２´の上方に位置させ、取付用部材３の水平片３０の下面を収納ケース１の上面部１３に当接させて、水平片３０の長さ方向に亘って複数箇所でボルト９で上面部１３、中間フレーム１２´に連結されている。図１、図５に記載のように、取付用部材３は、収納ケース１の戸尻側フレーム１０、戸先側フレーム１１の長さ方向に間隔を存して複数本設けてある。
【００２３】
取付用部材３は、収納ケース１の側フレーム１２、中間フレーム１２´の長さよりも長尺であり、取付用部材３の長さ方向両端部は、戸尻側フレーム１０、戸先側フレーム１１をそれぞれ越えて延びる第１延出部３´、第２延出部３´となっている。ケースユニットは、取付用部材３を吊りボルト３２で水平状に支持することで、天井内に取り付けられている。なお、天井内でのケースユニットの取付構造は吊ボルト３２を用いるものに限定されない。
【００２４】
収納ケース１の戸尻側フレーム１０と戸先側フレーム１１は、それぞれ補強部材によって補強されている。補強部材は、戸尻側フレーム１０、戸先側フレーム１１にそれぞれ設けられる第１要素４と、第１要素４と連結されており、取付用部材３の第１延出部３´、第２延出部３´にそれぞれ設けられる第２要素５と、から構成されている。
【００２５】
図７、図８に示すように、第１要素４は、垂直片４０と、垂直片４０に対して水平状に延びる水平片４１と、から形成されている。垂直片４０は戸尻側フレーム１０、戸先側フレーム１１との連結片であり、水平片４１は第２要素５との連結片となっている。垂直片４０は、戸尻側フレーム１０、戸先側フレーム１１の長さ方向に沿って延びる横長方形状の横長のピースであり、長さ方向の中央部位の幅細部４００と、幅細部４００の両端の幅広部４０１と、からなり、垂直片４０は凹部状となっている。幅細部４００の上端から水平片４１が延びている。
【００２６】
第１要素４の垂直片４０は、戸尻側フレーム１０の垂直片１００、戸先側フレーム１１の垂直片１１０にそれぞれ取り付けられる。本実施形態では、第１要素４の垂直片４０は、戸尻側フレーム１０の垂直片１００の外面に形成されたポケット部６、戸先側フレーム１１の垂直片１１０の外面に形成されたポケット部６に連結される。
【００２７】
図３、図４に示すように、ポケット部６は、垂直片１００、１１０の面部と、上側の上側片６０と、当該部分の下側の下側片６１と、からなる。上側片６０は水平状の上片と垂直状の垂下片とからなり、下側片６１は水平状の下片と垂直状の立ち上がり片とからなる。ポケット部６の高さ寸法は、上側片６０の上片と下側片６１の下片との間の距離であり、ポケット部６の奥行寸法は、上側片６０の垂下片、下側片６１の立ち上がり片と垂直片１００、１１０の面部との距離である。ポケット部６の高さ寸法及び奥行寸法は、第１要素４の垂直片４０（幅広部４０１）の高さ寸法及び厚さ寸法に対応しており、第１要素４を垂直片４０をポケット部６に挿入することで、戸尻側フレーム１０、戸先側フレーム１１にそれぞれ連結される。
【００２８】
図７、図８に示すように、第２要素５は、水平片５０と、水平片５０から立ち上がる垂直片５１と、から側面視Ｌ形状に形成されている。水平片５０は第１要素４との連結片であり、垂直片５１は取付用部材３との連結片となっている。第２要素５は、水平片５０の下面を第１要素４の水平片４１の上面に当接させてボルト７で固定されている。第２要素５は、垂直片５１を取付用部材３の垂直片３１に当接させてボルト８で固定されている。
【００２９】
収納ケース１の戸尻側フレーム１０の垂直片１００と取付用部材３の第１延出部３´を第１要素４と第２要素５からなる補強部材によって連結し、第１延出部３´に固定された補強部材によって垂直片１００を支持することで、戸尻側フレーム１０のヒンジ部１０２の変形を防止し、パネル２の回動基端部の円滑な動きに支障が無いようにする。
【００３０】
収納ケース１の戸先側フレーム１１の垂直片１１０と取付用部材３の第２延出部３´を第１要素４と第２要素５からなる補強部材によって連結し、第２延出部３´に連結された補強部材によって垂直片１１０を支持することで、戸先側フレーム１１の垂直片１１０が水平姿勢にあるパネル２の戸先側フレーム２１に接近するように変形することを防止し、パネル２の戸先側フレーム２１と収納ケース１の戸先側フレーム１１が引っ掛かるようなことを防止している。
【００３１】
本実施形態に係るケースユニットは、収納ケース１と、収納ケース１の上面に固定された取付用部材３と、収納ケース１の戸尻側フレーム１０、戸先側フレーム１１と取付用部材３とを連結する補強部材（第１要素４＋第２要素５）と、からなり、収納ケース１を組立て、収納ケース１の上面に取付用部材３（延出部３´）の水平片３０をボルト９で連結し、収納ケース１の戸尻側フレーム１０の垂直片１００のポケット６、戸先側フレーム１１の垂直片１１０のポケット６に第１要素４の垂直片４０を差し入れて連結し、第１要素４の水平片４１と第２要素５の水平片５０をボルト７で連結し、第２要素５の垂直片５１と取付用部材３（延出部３´）の垂直片３１とをボルト８で連結することで、予め補強構造を備えたケースユニットを工場で作製することができる。現場では、ケースユニットを、取付用部材３の長さ方向両端の延出部３´において吊ボルト３２を用いて天井内に支持させればよく、現場で補強作業を行う必要がない。したがって、現場で補強施工を行う必要がないため、現場における防煙垂れ壁の施工時間を短縮することができ、また、補強施工は工場で行われるので、より安定した品質の防煙垂れ壁が得られる。
【符号の説明】
【００３２】
１  ケース
１０  戸尻側フレーム
１００  垂直片
１１  戸先側フレーム
１１０  垂直片
２  パネル
３  取付用部材
４  第１要素
５  第２要素
【図１】
2015100528.tif 000003
【図２】
2015100528.tif 000004
【図３】
2015100528.tif 000005
【図４】
2015100528.tif 000006
【図５】
2015100528.tif 000007
【図６】
2015100528.tif 000008
【図７】
2015100528.tif 000009
【図８】
2015100528.tif 000010